(57)【特許請求の範囲】
【請求項１】
前面部が前方の室床方向に傾斜する前板を備え、内部に収容した送風機ユニットの作動及び停止を前記前面部に設けた操作部で操作するレンジフードファンにおいて、前記前板下縁の縁取り部裏面中央部に固定したスイッチ取付台と、そのスイッチ取付台に取付けられたスイッチカバーと、そのスイッチカバーの下端に設けられ前半部で前記縁取り部に対するスイッチ取付台の固定部を表面側からカバーする化粧縁と、前記前板の頂部とスイッチ取付台もしくはスイッチカバーとに亘って縦設され内部をコード配線空間とする配線用縦杆とを備え、該配線用縦杆は、上端部にコード導入部を、またスイッチカバー内に臨む下端部と中途部にコード取出部を各々備え、該配線用縦杆の中途部にランプケースを取付けると共に前記化粧縁の後半部を鉛直状乃至後方下向き傾斜状の角度をもって垂設し、その後半部に前記操作部を配置したことを特徴とするレンジフードファン。
【発明の詳細な説明】
【０００１】
【発明の属する技術分野】
本発明は、燃焼器具や調理物から立ち昇る廃ガスを含む排煙に含まれる水分や油脂分を除去しクリーンにして排気するレンジフードファン、更に詳しくは前面部に設けた操作部の操作性、内装性、電源からの接続コードの耐久性、排煙効率等が共に向上するレンジフードファンに関するものである。
【０００２】
【従来の技術】
レンジフードファンには前板と、排気装置を備えたフード体と、フード体に設けた仕切板と、その仕切板先端とフード体の天板部に設けたフィルタ桟に支持されるフィルタとを備え、その前板を排煙の捕捉空間を拡張させるために前方の室床方向に向けて傾斜状にしたタイプが一般的に知られている。
そして、このレンジフードファンは、排気装置の作動・停止・回転数の制御、ランプのＯＮ・ＯＦＦ等を行う操作部を前板の前面部に設けている。
【０００３】
【発明が解決しようとする課題】
ところで、レンジフードファンでは通常、消防法等の適用からフィルタの下端が床面から略１６０乃至１６５ｃｍ程度の高さとなっている。その結果、前面部も必然的に高い高さに配備される。
その上、前記するタイプのレンジフードファンは、前板が燃焼器具をセットした調理台の上方で前方張出状になる。
そのため、燃焼器具の前に立って操作部を操作しようとする時、操作部が前板で遮られて視線に入らなくなり、操作しずらい。ことに背の低い人や老人等では指が届き難く、操作が一層むずかしくなる。
これを解消すべく図６に示すように前板ａ２の下縁に幅方向全長に亘って後方傾斜状の帯状取付板ａ４を固定し、その帯状取付板ａ４に前方斜め下向きに向けて操作部２を配置したレンジフードファンが既に提案されている。
しかし、この先行例では帯状取付板ａ４の前板ａ２への組付のためスポット溶接痕やヒケ部が室内に露呈して外観を害し、また組立を煩雑にしていた。
また、このレンジフードファンは前板ａ２の前面部ａ２’の裏面に仕切板ａ５を幅方向全長に亘って横架し、その仕切板ａ５の内部に操作部の電装部（スイッチ）を収容し、その仕切板ａ５を利用して下方照明（ランプ）７を取付けている。
そのため、その仕切板ａ５の幅方向全長への突出によって排煙の捕捉空間Ｘが大幅に削減されて排煙捕捉効率が悪くなり、また接続コード（図示せず）がその捕捉空間を横断してフード本体側から配線され、熱と油煙に侵されることからシリコンワニスチューブ等で防護する必要があった。
【０００４】
本発明は、従来事情に鑑みてなされたもので、その技術的課題は前板の前面部の裏面に設けられて固定部（ヒケ部等）をカバーする小形な取付手段で前板前面部下縁に操作部を支持すると共にその真上に照明手段を配設して、内装性を害さずに背の低い人や老人等でも操作できる容易操作性と排煙の広い捕捉空間の確保を可能とし、その上、操作部の電装部（スイッチ）及びランプへの接続コードが排煙の捕捉空間を横断も露呈もせずに接続できるレンジフードファンを提供することにある。
【０００５】
【課題を解決するための手段】
上記目的を達成するために講じた技術的手段は、前面部が前方の室床方向に傾斜する前板を備え、内部に収容した送風機ユニットの作動及び停止を前記前面部に設けた操作部で操作するレンジフードファンにおいて、前記前板下縁の縁取り部裏面中央部に固定したスイッチ取付台と、そのスイッチ取付台に取付けられたスイッチカバーと、そのスイッチカバーの下端に設けられ前半部で前記縁取り部に対するスイッチ取付台の固定部を表面側からカバーする化粧縁と、前記前板の頂部とスイッチ取付台もしくはスイッチカバーとに亘って縦設され内部をコード配線空間とする配線用縦杆とを備え、該配線用縦杆は、上端部にコード導入部を、またスイッチカバー内に臨む下端部と中途部にコード取出部を各々備え、該配線用縦杆の中途部にランプケースを取付けると共に前記化粧縁の後半部を鉛直状乃至後方下向き傾斜状の角度をもって垂設し、その後半部に前記操作部を配置したことを要旨とする。
また、前記配線用縦杆は、断面ロ型状で内部中空部をコード配線空間を構成するもの、または、断面コ型状を呈し前板裏面にその開放縁が当接してコード配線空間を構成するものとする。
更に、操作部は、押しボタン式、タッチ式等が挙げられる。
【０００６】
上記技術的手段によれば下記の作用がある。
前方の室床方向に傾斜する前板の最も低い位置で且つ調理台前方位置から見える部分に前向きから前方斜め下向きの角度範囲をもって操作部を配置できる。
しかも、前板裏面に沿って縦架する配線用縦杆が接続コードを排煙から防護する。
また、排煙の捕捉空間の占有を、前板の裏面側中央部に設けたスイッチカバーとそのスイッチカバーの真上に配設したランプケースとの小さな範囲だけに抑制できる。
そして、ランプの総重量が前板の頂部とスイッチ取付部分とで分散して一か所に集中するのを回避する。
【０００７】
【発明の実施の形態】
次に、本発明の実施の形態を図面に基づいて説明する。
図１乃至図５において、符号Ａはレンジフードファン本体である。
【０００８】
このレンジフードファン本体Ａは、図１に示すように前面及び下面を開放したフード体ａ１の前面を前板ａ２で着脱可能に被蓋すると共にそのフード体ａ１の左右側板ａ１’、ａ１’に架設した仕切板ａ１”先端の桟（図示せず）と天板（図示せず）に設けた桟（図示せず）とでフィルタａ３を係脱可能に支持した箱形状になっており、フィルタａ３背後には送風機ユニット（図示せず）を収容している。
【０００９】
このレンジフードファン本体Ａの前板ａ２の前面部ａ２’は、フィルタａ３との間の排煙の捕捉空間Ｘを広くするために前方の室内床側に向かって傾斜状になっており、その下縁に断面Ｌ型の縁取り部１を奥行き方向に上向きに折曲形成して、前板ａ２をフード体ａ１に係脱させる際の取扱作業時に鋭利な縁で怪我等しないように配慮してある。
【００１０】
この前板ａ２の前面部ａ２’の中央部には、その下縁レベルから前方斜め下向きに向かせて操作部２が配置されている。
【００１１】
この操作部２は、送風機ユニット（図示せず）のＯＮ・ＯＦＦ、その回転数の選定、照明手段であるランプのＯＮ・ＯＦＦをコントロールする時の押しボタン、タッチボタン等であり、前板ａ２の縁取り部１中央部の底部分にスポット溶接等適宜手段で部分的に固定したスイッチ取付台３に装設するスイッチカバー４から突設されている。
【００１２】
スイッチ取付台３は、後述するスイッチカバー４と同等幅寸法で且つ若干短い長さ寸法を有してなり、図２、図３に示すように前板ａ２の裏側において前記縁取り部１の中央に固定する固定板部１３から前板ａ２の前面部ａ２’裏面に沿い所定面積をもって立上がり板部２３を立ち上げ形成し、その先端から切欠部３３を挟んで左右一対の取付板部４３、４３をフィルタａ３側に折曲した形状になっており、各々の取付板部４３、４３には第１固定孔１００  が、また各々の折曲始端側には第３固定孔２００  が各々開孔してある。
【００１３】
前記各々の取付板部４３、４３は、図３に示すように前記切欠部３３に近接する側の一半部４３ａと、離間する側の他半部４３ｂとは両者間で差し込み空間４３ｃを形成するように段違いに形成してある。
【００１４】
スイッチカバー４は、略箱形状を呈するカバー体１４と、化粧縁２４とから構成され、スイッチカバー４は、内部に操作部２を備えたスイッチ１２及びそのスイッチ１２を支持するスイッチ支持枠２２を収容した状態でスイッチ取付台３に取付けられる。
【００１５】
スイッチ支持枠２２は、図２、図３に示すように帯板部２２ａの両端部からＬ形帯板部２２ｂを下向きで且つ逆向きに連設した形状になっており、前記帯板部２２ａに前記第１固定孔１００  と対応して第３固定孔３００  を開孔し、前記Ｌ形帯板部２２ｂ下端の腕板部２２ｃを挿通するネジ４００  を、スイッチ１２を収容するケース１２ａから突設する支持板１２ｂを貫通させて化粧縁２４裏面の支持部２４ａに螺着することでスイッチ１２、化粧縁２４と一体的になっている。
【００１６】
化粧縁２４は、前半部が前記縁取り部１の底表面にオーバーラップする幅寸法で且つスイッチ取付台３の長さ寸法よりも長くしてなり、長さ方向の左右両端部裏面から突子２４ｂを突設している。
【００１７】
前記化粧縁２４、スイッチ１２を一体的に備えたスイッチ支持枠２２は、前記突子２４ｂを前記縁取り部１に開孔した取付孔１１に嵌合させ且つスイッチ支持枠２２の帯板部２２ａを前記差し込み空間４３ｃに挟持状に差込んでスイッチ取付台３にセットされる。この時、化粧縁２４はその前半部で前記固定部Ｙであるスポット溶接によるヒケ部等を表面側から隠し、後半部に開孔したガイド孔２４ｃから操作部２を前方斜め下向きに向かせて突出させる（図２、図３、図４）。
【００１８】
化粧縁２４、スイッチ１２、スイッチ支持枠２２の固定は第３固定孔３００  と第１固定孔１００  にネジ４００  を螺着することで行われる。
【００１９】
カバー体１４は、図４に示すように前板ａ２の前面部ａ２’裏面と対向する前側と、下側とを開放した箱形状を呈し、その天板部１４ａの開放縁中央部に前記切欠部３３と連通する矩形切欠１４ｂを切欠形成すると共にその矩形切欠１４ｂを挟んで開放縁の左右に小切欠１４ｃ、１４ｃを切欠成形し、下側の開放縁を前記化粧縁２４の後半部縁に係合させてスイッチ１２と共にスイッチ支持枠２２を被覆した状態で、天板部１４ａに開孔した第１挿通孔５００  を挿通するネジ４００  を、その第２固定孔２００  に螺着してスイッチ取付台３に取付けてある。
【００２０】
符号５は配線用縦杆であり、図３に示すように内部を前記スイッチ１２への接続コード６及び後述するランプ７への接続コード６のコード配線空間１５とする断面コ型状を呈してなり、一端部（上端部）に係止突片２５を、また他端部（下端部）に差し込み突片３５を各々突設形成すると共に、中途部に窓孔（コード取出部）４５を、またその窓孔４５よりも他端部（下端部）側よりに小開口５５を開口している。
【００２１】
前記差し込み突片３５は、他端部の開口（コード取出部）６５縁中央部から突設され、また係止突片２５は、一端部の開口縁中央部に設けたＵ字溝（コード導入部）７５を挟んで一対傾斜状に突設されている。
【００２２】
この配線用縦杆５は、前記Ｕ字溝（コード導入部）７５から電源（図示せず）へのコネクタ１６を、また窓孔（コード取出部）４５からランプ７へのコネクタ２６を、更には差し込み突片３５側の開口（コード取出部）６５からスイッチ１２へのコネクタ３６を接続コード６の一部と共に各々引き出した状態でコード配線空間１５に接続コード６を予め配線固定してある。
この配線用縦杆５の取付けは、スイッチ１２側のコネクタ１２ｃ及びランプ７側のランプレセップ４７に連結するコネクタ４７ａに前記コネクタ３６、２６を各々結線し、スイッチ支持枠２２を前述のようにスイッチ取付台３にセットした後、係止突片２５を前板ａ２の頂部に開孔した係止孔ａ２”に差し込み係止し且つ差し込み突片３５をスイッチ取付台３の前記切欠部３３に差し込んで開口段部縁３５ａをスイッチ取付台３に係止し、その後にスイッチ取付台３に取付られるカバー体１４の切欠１４ｂの縁で差し込み突片３５の基端部を揺動不能に支持することによって前板ａ２側の開放部が同前板ａ２裏面で塞がれた状態で前板ａ２頂部とカバー体１４とに亘って縦設される（図２乃至図４）。
【００２３】
ランプ７は、ランプ取付台１７、ランプ取付台１７で支持されるランプ体３７、それをカバーするランプケース２７とからなる。
【００２４】
ランプ取付台１７は、図３乃至図５に示すように前板ａ２裏面と平行となる平面部１７ａの上縁と側縁一方から上向き傾斜面１７ｂと横向き傾斜面１７ｃを各々起設して反射部１７ｄを形成し、その横向き傾斜面１７ｃにランプレセップ４７を取付け、横向き傾斜面１７ｃ及び上向き傾斜面１７ｂの起縁にカバー面１７ｅを延設して、そのカバー面１７ｅの背後を接続コード６との接続空間にしてなり、平面部１７ａの下端に設けた位置決め突片１７ｆを前記小開口５５に差し込み係合した状態で配線用縦杆５にネジ４００  止めされる。
符号１７ｇは、配線用縦杆５に嵌合するために嵌合用切欠である。
【００２５】
ランプケース２７は、屋根面の両側部を側板で閉塞した所謂屋根形状を呈してなり、傾斜下面２７ｃに透光ガラス２７ａを備え、下縁に突設した突片２７ｂを前記カバー体１４の小切欠１４ｃ、１４ｃに差し込み係合して位置決めした状態でランプ取付台１７、ランプ体３７を一緒にカバーするように配線用縦杆５にネジ４００  止めされる。
【００２６】
このようなスイッチ構造及び配線構造を有するレンジフードファンは、離れている時には操作部２の取付構造がその固定部Ｙと共に前板ａ２で前側から隠され、前板ａ２の前面部ａ２’を平面のままスッキリと露呈させる。調理台の前に立った時、離れていた時には目立たなかった操作部２が前板ａ２の最も低い位置で顕著な姿で現れ、指先の押し動作によって操作できる。スイッチ１２への接続コード６、ランプ７への接続コード６が排煙から防護され、また、ランプ（ランプ取付台、ランプケース、ランプ体を含む）の総重量が前板ａ２とスイッチ取付部分に分散して支持され、耐久性が大幅に向上する。スイッチ取付台３の延長上だけにランプケース２７が配設され、それも複数の燃焼器具から上昇する排煙の上昇量の一番すくない中央部に設けられることから、排煙の捕捉効率を低下させる虞れがなくなる。等の利点を達成できる。
【００２７】
尚、図示しないが、スイッチ取付台３のその固定部Ｙを表面側からカバーする化粧縁２４の後半部を垂設してその部分から操作部２を前方に水平に突設させても良いものである。この場合には前記取付板部４３、４３を鉛直方向に垂設し、その部分にスイッチ支持枠２２を直角状にネジ止めすれば良い。
また、配線用縦杆５の他端部（下端部）の支持構造は図示する構造に限定されるものではなく、その開口（コード取出部）６５がスイッチカバー（詳細にはカバー体１４）４内に臨むようにスイッチ取付台３にネジ止めする構造でも良いものである。
【発明の効果】
本発明は以上のように構成したから、下記の利点がある。
前板下縁の縁取り部裏面にスイッチ取付台を固定し、そのスイッチカバー下端に設けた化粧縁の後半部を前記縁取り部レベルから鉛直状乃至後方下向き傾斜状に垂設し、その後半部に操作部を配置したので、操作部が低い位置で且つ見やすく、操作が非常にしやすくなる。
そのため、背の低い人や老人等でも排気装置の作動・停止・回転数の制御、ランプのＯＮ・ＯＦＦ等を容易且つ近くで行うことができる。
しかも、スイッチ、ランプへの接続コードを排煙からカバーする配線用縦杆を前板とスイッチ取付部分とに亘って前板裏面に沿うように架設し、その配線用縦杆にランプケースを取付けたので、ランプを接続コードのカバー手段（配線用縦杆）を利用して安定的に取付支持することができる。そのため、接続コードをシリコンワニスチューブ等で防護したり、ランプの取付手段を別途設けることなく、接続コードの排煙からの防護とランプの安定的取付けとを共通する配線用縦杆を使用して行え、構造簡単且つ経済的である。
その上、縁取り部の裏面中央部に固定したスイッチ取付台でスイッチカバーを取付支持したものであるから、排煙の捕捉空間に突出する体積が極小となり、ランプケースもその延長上だけに設けられ、従来のようにランプを支持する仕切板で排煙の捕捉空間が大幅に遮られることもなくなり、排煙の捕捉効率が大幅にアップする。
また、スイッチ取付台の固定部（スポット溶接、ネジ、リベット）が化粧縁の前半部で表面側から被覆されて室内に露出せず、調理台の前に立った時に操作部と共に化粧縁だけが認識されるようになるので、前板の広い前面部が平面のまま室内に露呈し、今までにないシンプルでさわやかなスッキリ感が得られ、商品価値を高めることができ、操作時においてもスイッチカバーが化粧縁で隠されて見にくく、見栄えが非常に良いレンジフードファンになる。
【図面の簡単な説明】
【図１】本実施の形態のレンジフードファンの斜視図。
【図２】図１の（２）−（２）線拡大断面図で中間省略して示す。
【図３】スイッチ取付台、スイッチ、化粧縁、配線用縦杆、ランプケース等の関係を示す、分解斜視図。
【図４】カバー体を取り付ける状態を示す斜視図。
【図５】ランプケースを取り付ける状態を示す斜視図。
【図６】従来のレンジフードファンの斜視図。
【符号の説明】
Ａ    ：レンジフードファン本体              ａ２：前板
ａ２’：前面部                          ２  ：操作部
１    ：縁取り部                            ３    ：スイッチ取付台
４    ：スイッチカバー                    ２４    ：化粧縁
５    ：配線用縦杆                          １５    ：コード配線空間
７５    ：コード導入部                        ４５、６５：コード取出部
７  ：ランプ                        ２７  ：ランプケース
【図１】
0003607380.tif 000002
【図２】
0003607380.tif 000003
【図３】
0003607380.tif 000004
【図４】
0003607380.tif 000005
【図５】
0003607380.tif 000006
【図６】
0003607380.tif 000007